(57)【要約】【課題】メモリーカード用コネクタに於て、摺動するシャッターによるコンタクトの接点部の損傷を防止する。【解決手段】シャッター２７を備え、長短２種類のメモリーカードを各別に挿入自在のメモリーカード用コネクタに於て、前記シャッター２７の後端部に中間コンタクト４の接点用突設部４ａと遊嵌させるための後方に開放する凹部２９を形成し、且つ、該凹部２９の底部を該接点用突設部４ａの先端側斜面勾配よりも急勾配になるように下方前方に斜欠して斜欠面２９ａを形成し、前記中間コンタクト４の接点用突設部４ａが該凹部２９内に遊嵌される時、該接点用突設部４ａの先端側斜面が該斜欠面２９ａに案内されて下方に変位し、該接点用突設部４ａの頂点となる接点部４ａａが該斜欠面２９ａに接触することなく該凹部２９内に収納されるように構成した。【選択図】　図２
2004095234.tif 000002
【特許請求の範囲】
【請求項１】
長短２種類のメモリーカードを各別に挿入自在の挿入口を備えた上下ケースから成るケースと、該下ケース上の先端部に配設された先端コンタクト群と、該下ケース上の中間部に配設され、且つ、頂部が接点部となる略山形状の接点用突設部が形成された中間コンタクト群と、該下ケース上の側部に配設され、且つ、長いメモリーカードと共に摺動自在のスライダーと、該スライダーと係合自在で、且つ、短いメモリーカードと共に摺動自在の摺動体とから成るメモリーカード用コネクタであって、前記摺動体の後端部に前記中間コンタクト群の接点用突設部を遊嵌させるための後方に開放する凹部を形成し、且つ、該凹部の底部を該接点用突設部の先端側斜面勾配よりも急勾配になるように下方前方に斜欠して斜欠面を形成し、前記中間コンタクト群の接点用突設部が該凹部内に遊嵌される時、該接点用突設部の先端側斜面が該斜欠面に案内されて下方に変位し、該接点用突設部の頂点となる接点部が該斜欠面に接触することなく該凹部内に収納されるように構成したことを特徴とするメモリーカード用コネクタ。
【請求項２】
上記凹部は複数個形成され、１個の凹部内に上記中間コンタクト群の１個の接点用突設部が遊嵌されるように構成されて成ることを特徴とする請求項１記載のメモリーカード用コネクタ。
【請求項３】
上記凹部は複数個形成され、１個の凹部内に上記中間コンタクト群の複数個の接点用突設部が遊嵌されるように構成されて成ることを特徴とする請求項１記載のメモリーカード用コネクタ。
【発明の詳細な説明】
【０００１】
【発明の属する技術分野】
この発明は、メモリーカード用コネクタに関するものであり、特に、長短２種類のメモリーカードを各別にプッシュイン・プッシュアウト機構によって挿入・取外し自在に構成されたメモリーカード用コネクタに関するものである。
【０００２】
【従来の技術】
従来の此種メモリーカード用コネクタを図６乃至図１２に従って詳述する。図６に於て、１は上ケースを取り外した状態のメモリーカード用コネクタを示し、該メモリーカード用コネクタ１は合成樹脂製の下ケース２と、該下ケース２上面の先端部に配設された先端コンタクト３，３…群と、該下ケース２の上面中間部に配設された中間コンタクト４，４…群と、該下ケース２の上面左側先端部に摺動自在に配設された略四角棒状のスライダー５と、前記中間コンタクト４，４…群の近傍に摺動自在に配設された摺動体としてのシャッター６とを備えている。
【０００３】
そして、前記下ケース２は平面状の底部７上の側端部にコ字状に左側壁８、先端壁９及び右側壁１０が立設して形成され、開放側側面は挿入口１１となっている。
【０００４】
又、前記左側壁８は前半部が切欠されており、後半部には右方に突出自在の係合ばね１２が固着されている。
更に、前記スライダー５は前記先端壁９に保持されるらせん状のばね１３によって前記挿入口１１方向に付勢され、該スライダー５の右側面には右方に突出自在の係合ばね１４が固着されると共に、該右側面後端部には右方に開放する凹部５ａが形成され、且つ、該スライダー５の左側面には後述するプッシュイン・プッシュアウト機構のカム溝（図示せず）が形成されている。
【０００５】
又、前記シャッター６は左右に延びる細板状のシャッター本体１５と該シャッター本体１５両側端上に立設する左右側壁１６，１７とを備え、該シャッター本体１５の後端は前方下方に斜欠されており、該左右側壁１６，１７は該左右側壁１６，１７の内壁部に内方に開口するＵ字状の長手方向案内溝１６ａ，１７ａが形成されると共に、該左側壁１６には前記下ケース２の左側壁８に固着された前記係合ばね１２を前記案内溝１６ａ内に貫通させるための貫通孔（図示せず）が開穿され、且つ、該ばね１２は該貫通孔を貫通して前記案内溝１６ａ内に突設自在に構成され、そして、前記右側壁１７は前記下ケース２の右側壁１０内に固着された長手方向に延びるらせん状のばね１８によって前記挿入口１１方向に付勢されている。
【０００６】
更に、前記シャッター６の左側先端部には該左側先端部から左方に突設自在のロックばね１９が固設され、該ロックばね１９は前記スライダー５に形成された凹部５ａに係合自在に構成されている。
【０００７】
そして、前記シャッター６は、図７（ａ）及び（ｂ）に概略的に示す如く、前記中間コンタクト４から離反した状態から、前記下ケース２上を後部方向に摺動して、同図（ｃ）及び（ｄ）に示す如く、該シャッター６の斜欠された後端部が該中間コンタクト４の接点用突設部４ａに接触して、該接点用突設部４ａを下方に変位させ、該接点用突設部４ａの接点部４ａａが該シャッター６の下面に接触して下方に収納され、該接点部４ａａと後述する長いメモリーカードの接触パッドとの接触が防止されるように構成されている。
【０００８】
図８は前記スライダー５のプッシュイン・プッシュアウト機構の説明図であり、図に於て、２０は前記スライダー５の左側面に形成されたカム溝であり、該カム溝２０は該スライダー５の長手方向に延びて形成されると共に、該カム溝２０の後端部（図に於て右端部）が上溝２０ａ、くの字状のロック溝２０ｂ及び下溝２０ｃから成る図に於て正面視略ハート形状に形成され、且つ、該ハート形状のカム溝２０の溝底部には時計周り方向に一段づつ低くなる逆回転防止用段差２０ｄ，２０ｄ…が形成され、所謂ハートカム機構が形成されている。
【０００９】
一方、前記左側壁（図６に於て８）に長手方向に延びる係合棒２１を揺動自在に設け、該係合棒２１の先端に前記カム溝２０側に突出する係合ピン２２を形成し、該係合棒２１を前記左側壁に固着した平板状の弾性体２３によって前記スライダー５側に付勢し、前記係合ピン２２を前記カム溝２０内に係合させるように構成されている。
【００１０】
従って、前記スライダー５が図に於て左方に押されると、前記係合ピン２２が前記カム溝２０の上溝２０ａを右方に案内されて前記ロック溝２０ｂに移動し、ここで、左方に押す力を弱めると前記スライダー５は前記ばね１３に付勢されて右方に移動し、即ち、前記係合ピン２２は前記ロック溝２０ｂの中心部に案内されてロックされる。
【００１１】
更に、前記スライダー５を左方に押すと該係合ピン２２が該ロック溝２０ｂから外れて前記下溝２０ｃに移動し、ここで、左方に押す力を弱めると前記スライダー５が前記ばね１３に付勢されて右方に移動し、即ち、前記係合ピン２２は前記下溝２０ｃを左方に移動し、該下溝２０ｃに案内されて前記上溝２０ａに移動する。これによって、プッシュイン・プッシュアウト動作が行われる。
【００１２】
而して、図６乃至図１０に従って、例えばＳＤメモリー等の短いメモリーカード２４を前記メモリーカード用コネクタ１に挿入する場合を説明すると、先ず、該メモリーカード２４を該メモリーカード用コネクタ１の前記挿入口１１から挿入すると該メモリーカード２４は前記シャッター６の左右側壁１６，１７に形成された案内溝１６ａ，１７ａに案内されて該シャッター６に遊嵌し、該シャッター６に開穿された前記貫通孔から突出する係合ばね１２が前記メモリーカード２４の係合穴に係合して該シャッター６を前方に摺動させる。
【００１３】
そして、該シャッター６の摺動によって該シャッター６の前記ロックばね１９が前記スライダー５に形成された前記凹部５ａに係合して該スライダー５を該シャッター６と共に前方に移動させ、該スライダー５の前述したプッシュイン・プッシュアウト機構によって、前記係合ピン２２が前記ロック溝２０ｂに係合すると前記メモリーカード２４は所定の挿入位置に装着される。その時、該メモリーカード２４のコンタクトとなる接触パッド（図示せず）は前記コンタクト４，４…に接触して導通状態になる。
【００１４】
更に、この状態で前記メモリーカード２４を前方に押すと、前記係合ピン２２が前記ロック溝２０ｂから外れ、該係合ピン２２が前記下溝２０ｃに達し、ここで、前記メモリーカード２４を前方に押す力を弱めると、前記ばね１３の付勢によって該係合ピン２２は前記下溝２０ｃに案内されて前記挿入口１１側に移動し、同時に前記スライダー５及びシャッター６も前記メモリーカード２４と共に挿入口１１側に移動する。そして、この時、該シャッター６の貫通孔も移動するため、前記係合ばね１２は該貫通孔から抜け出て左方に移動し、該係合ばね１２による前記メモリーカード２４の係合も外れるが、該シャッター６に形成された前記案内溝１６ａの先端壁１６ａａに押されて該メモリーカード２４は前記挿入口１１側に移動し、前記メモリーカード用コネクタ１から抜き取ることができる。
【００１５】
次に、図６、図８、図１１及び図１２に従って、メモリースティック等の長く細いメモリーカード２５を前記メモリーカード用コネクタ１に挿入する場合を説明すると、先ず、該メモリーカード２５を該メモリーカード用コネクタ１の前記挿入口１１から挿入すると該メモリーカード２５は前記案内溝１６ａ，１７ａ内に遊嵌することなく、且つ、前記係合ばね１２に係合することなく前記シャッター６のシャッター本体１５上の左右側壁１６，１７間を摺動する。
【００１６】
この時、前述したように、前記シャッター６は挿入口１１側に後退し、前記コンタクト４，４…の接点部（図７に於て４ａａ）は該シャッター６の上方に突出していないため、前記メモリーカード２５の接触パッドは該接点部に接触することなく、又、前記シャッター６を摺動させることなく挿入方向に移動し、前記スライダー５の前記係合ばね１４が該メモリーカード２５に形成された係合穴（図示せず）に係合して、該スライダー５を前方に移動させ、該スライダー５の前述したプッシュイン・プッシュアウト機構によって、前記係合ピン２２が前記ロック溝２０ｂに係合すると前記メモリーカード２５は所定の挿入位置に装着される。その時、該メモリーカード２５のコンタクトとなる接触パッド（図示せず）は前記先端コンタクト３，３…に接触して導通状態になる。
【００１７】
更に、前記メモリーカード２５を前方に押すと、前記係合ピン２２が前記ロック溝２０ｂから外れ、該係合ピン２２が前記下溝２０ｃに達し、ここで、前記メモリーカード２５を押す力を弱めると、前記ばね１３の付勢力により該係合ピン２２は下溝２０ｃに案内されて前記挿入口１１側に移動し、同時に前記スライダー５も前記メモリーカード２５と共に挿入口１１側に移動する。そして、この時、前記係合ばね１４による前記メモリーカード２５の係合は該係合ばね１４が撓むことによって外れ、該メモリーカード２５は前記メモリーカード用コネクタ１から抜き取ることができる。
【００１８】
斯くして、前記メモリーカード用コネクタ１は長短２種類のメモリーカードを各別にプッシュイン・プッシュアウトによって挿入・取外しすることができる。
又、前記シャッター６を用いた機構は前記メモリーカード用コネクタ１の横幅寸法を小さくし、該メモリーカード用コネクタ１の小型化を図ることができる。
【００１９】
【発明が解決しようとする課題】
上記従来例のメモリーカード用コネクタは該メモリーカード用コネクタの小型化を図る等の目的でシャッターが用いられ、該シャッターは該シャッターが下ケース上を後部方向に摺動することにより、該シャッターの斜欠された後端部が中間コンタクトの接点用突設部を下方に変位させ、該接点用突設部の接点部が該シャッターの下面に接触して収納され、該中間コンタクトの接点部は長いメモリーカードの接触パッドとの接触が防止されるように構成されている。
【００２０】
然しながら、前記中間コンタクトの接点部は前記シャッターが後方に移動した時、該シャッターの下面に接触するように構成されているため、該接点部が前記接触によって損傷する虞がある。
【００２１】
そこで、メモリーカード用コネクタに於て、摺動するシャッターによるコンタクトの接点部の損傷を防止するために解決すべき技術的課題が生じてくるのであり、本発明はこの課題を解決することを目的とする。
【００２２】
【課題を解決するための手段】
本発明は上記目的を達成するために提案されたものであり、長短２種類のメモリーカードを各別に挿入自在の挿入口を備えた上下ケースから成るケースと、該下ケース上の先端部に配設された先端コンタクト群と、該下ケース上の中間部に配設され、且つ、頂部が接点部となる略山形状の接点用突設部が形成された中間コンタクト群と、該下ケース上の側部に配設され、且つ、長いメモリーカードと共に摺動自在のスライダーと、該スライダーと係合自在で、且つ、短いメモリーカードと共に摺動自在の摺動体とから成るメモリーカード用コネクタであって、前記摺動体の後端部に前記中間コンタクト群の接点用突設部を遊嵌させるための後方に開放する凹部を形成し、且つ、該凹部の底部を該接点用突設部の先端側斜面勾配よりも急勾配になるように下方前方に斜欠して斜欠面を形成し、前記中間コンタクト群の接点用突設部が該凹部内に遊嵌される時、該接点用突設部の先端側斜面が該斜欠面に案内されて下方に変位し、該接点用突設部の頂点となる接点部が該斜欠面に接触することなく該凹部内に収納されるように構成したメモリーカード用コネクタ、
及び、上記凹部は複数個形成され、１個の凹部内に上記中間コンタクト群の１個の接点用突設部が遊嵌されるように構成されて成るメモリーカード用コネクタ、
並びに、上記凹部は複数個形成され、１個の凹部内に上記中間コンタクト群の複数個の接点用突設部が遊嵌されるように構成されて成るメモリーカード用コネクタを提供するものである。
【００２３】
【発明の実施の形態】
以下、本発明の一実施の形態を図１乃至図５に従って詳述する。尚、説明の都合上、従来例と同一構成部分については同一符号を付してその説明を省略する。
図１に於て、２６は上ケースを取り外した状態のメモリーカード用コネクタであり、該メモリーカード用コネクタ２６は従来例のシャッター（図６に於て６）に代えてシャッター２７を設けたものであり、該シャッター２７は左右に延びる細板状のシャッター本体２８と該シャッター本体２８両側端上に立設する左右側壁１６，１７とを備え、該左右側壁１６，１７は該左右側壁１６，１７の内壁部に内方に開口するＵ字状の長手方向案内溝１６ａ，１７ａが形成され、且つ、該左側壁１６には前記下ケース２の左側壁８に固着された係合ばね１２を前記案内溝１６ａ内に貫通させるための貫通孔（図示せず）が開穿され、該ばね１２は該貫通孔を貫通して前記案内溝１６ａ内に突設自在に構成され、前記右側壁１７は前記下ケース２の右側壁１０内に固着された長手方向に延びるらせん状のばね１８によって前記挿入口１１方向に付勢されている。
【００２４】
更に、前記シャッター２７の左側先端部には該左側先端部から左方に突設自在のロックばね１９が固設され、該ロックばね１９はスライダー５に形成された凹部５ａに係合自在に構成されている。
【００２５】
そして、図２に概略的に示す如く、該シャッター２７の後端部は下方後方に向かって斜欠されている共に、該後端部には中間コンタクト４，４…群の接点用突設部４ａ，４ａ…と夫々遊嵌させるべく後方に開放する凹部２９，２９…が形成され、且つ、該凹部２９，２９…の底部は下方前方に斜欠されて略山形状の前記接点用突設部４ａ，４ａ…の先端側斜面勾配よりも急勾配の斜欠面２９ａ，２９ａ…が形成されている。尚、前記凹部２９，２９…は前記中間コンタクト４，４…群の接点用突設部４ａ，４ａ…と夫々遊嵌させるべく形成され、これによって該接点用突設部４ａ，４ａ…が互いに接触することを防止できる利点があるが、これに代えて、１個の凹部２９内に例えば２乃至数個程度の複数の接点用突設部４ａ，４ａ…が嵌合するように形成することも可能であり、然る時は、形成する凹部２９，２９…の個数を低減することが可能となり、金型の製作コストを低減することができる利点がある。
【００２６】
従って、前記シャッター２７は、図２（ａ）及び（ｂ）に示す、前記中間コンタクト４から離反した状態から、前記下ケース２上を後部方向に摺動することにより、同図（ｃ）及び（ｄ）に示す如く、該シャッター２７の後端部に設けられた凹部２９内に前記中間コンタクト４の接点用突設部４ａが遊嵌し、この時、該接点用突設部４ａの先端側斜面が前記凹部２９に形成された斜欠面２９ａに案内されて該接点用突設部４ａが下方に変位し、該接点用突設部４ａの頂部となる接点部４ａａは該斜欠面２９ａに接することなく前記凹部２９内に収納されて前記シャッター２７の上面よりも下方に移動し、長いメモリーカード（図１１に於て２５）の接触パッドに接触しない位置に収納される。
【００２７】
而して、図１乃至図４に従って、例えばＳＤメモリー等の短いメモリーカード２４を前記メモリーカード用コネクタ２６に挿入する場合を説明すると、先ず、該メモリーカード２４を該メモリーカード用コネクタ２６の挿入口１１から挿入すると該メモリーカード２４は前記シャッター２７の左右側壁１６，１７に形成された案内溝１６ａ，１７ａに案内されて該シャッター２７に遊嵌し、該シャッター２７に開穿された前記貫通孔から突出する係合ばね１２が前記メモリーカード２４の係合穴に係合して該シャッター２７を前方に摺動させる。
【００２８】
そして、該シャッター２７の摺動によって該シャッター２７の前記ロックばね１９が前記スライダー５に形成された前記凹部５ａに係合して該スライダー５を該シャッター２７と共に前方に移動させ、該スライダー５の前述した図８に示すプッシュイン・プッシュアウト機構によって、前記係合ピン２２が前記ロック溝２０ｂに係合すると前記メモリーカード２４は所定の挿入位置に装着される。その時、該メモリーカード２４のコンタクトとなる接触パッド（図示せず）は前記コンタクト４，４…に接触して導通状態になる。
【００２９】
更に、この状態で前記メモリーカード２４を前方に押すと、前記係合ピン２２が前記ロック溝２０ｂから外れ、該係合ピン２２が前記下溝２０ｃに達し、ここで、前記メモリーカード２４を前方に押す力を弱めると、前記ばね１３の付勢によって該係合ピン２２は前記下溝２０ｃに案内されて前記挿入口１１側に移動し、同時に前記スライダー５及びシャッター２７も前記メモリーカード２４と共に挿入口１１側に移動する。
【００３０】
そして、この時、該シャッター２７の貫通孔も移動するため、前記係合ばね１２は該貫通孔から抜け出て左方に移動し、該係合ばね１２による前記メモリーカード２４の係合も外れるが、該シャッター２７に形成された前記案内溝１６ａの先端壁１６ａａに押されて該メモリーカード２４は前記挿入口１１側に移動し、前記メモリーカード用コネクタ２６から抜き取ることができる。
【００３１】
又、この時、前記シャッター２７は、前述した如く、前記下ケース２上を後部方向に摺動することにより、該シャッター２７の後端部に設けられた凹部２９に前記中間コンタクト４の接点用突設部４ａが遊嵌し、該接点用突設部４ａの先端側斜面が前記凹部２９に形成された斜欠面２９ａに案内されて該接点用突設部４ａが下方に変位するため、該接点用突設部４ａの頂部となる接点部４ａａは該斜欠面２９ａに接することなく前記凹部２９内に収納され、前記シャッター２７の上面よりも下方に位置し、長いメモリーカード（図１１に於て２５）の接触パッドに接触しない位置に収納される。
【００３２】
又、長いメモリーカードも短いメモリーカード２４と同様にプッシュイン・プッシュアウトにより前記メモリーカード用コネクタ２６への挿入・取外しが行える。
【００３３】
そして、長いメモリーカードの挿入・取外し時は前記シャッター２７は摺動せず、前述の如く、前記中間コンタクト４の接点用突設部４ａの頂部となる接点部４ａａは前記斜欠面２９ａに接することなく前記凹部２９内に収納されて前記シャッター２７の上面よりも下方に位置し、長いメモリーカードの接触パッドに接触しない位置に収納されている。
【００３４】
斯くして、前記メモリーカード用コネクタ２６は短いメモリーカード２４及び長いメモリーカードの挿入・取り外し時に於ても、前記中間コンタクト４の接点部４ａａが前記シャッター２７に接触することはなく、該接点部４ａａの損傷を防ぐことができる。
【００３５】
又、前記メモリーカード用コネクタ２６は前記シャッター２７が前記中間コンタクト４の接点部４ａａ及び接点用突設部４ａを該シャッター２７の下面下方に変位させないため、従来例のシャッターの下面下方に接点部及び接点用突設部の変位を確保するスペースが不要となり、前記メモリーカード用コネクタ２６の薄型化を図ることができる。
【００３６】
尚、本発明は、本発明の精神を逸脱しない限り種々の改変を為すことができ、そして、本発明が該改変されたものに及ぶことは当然である。
【００３７】
【発明の効果】
本発明は上記一実施の形態に詳述したように、請求項１記載の発明は、長短２種類のメモリーカードを各別に挿入自在で、且つ、長いメモリーカードと共に摺動自在のスライダーと、短いメモリーカードと共に摺動自在の摺動体とから成るメモリーカード用コネクタであって、前記摺動体の後端部に中間コンタクト群の接点用突設部を遊嵌させるための後方に開放する凹部を形成し、且つ、該凹部の底部を該接点用突設部の先端側斜面勾配よりも急勾配になるように下方前方に斜欠して斜欠面を形成したので、前記中間コンタクト群の接点用突設部が該凹部内に遊嵌される時、該接点用突設部の先端側斜面が該斜欠面に案内されて下方に変位し、該接点用突設部の頂点となる接点部が該斜欠面に接触することなく該凹部内に収納されることにより、摺動する前記摺動体による中間コンタクトの接点部の損傷を防止することができる。
【００３８】
又、前記メモリーカード用コネクタは前記摺動体が前記中間コンタクトの接点部及び接点用突設部を該摺動体の下面下方まで変位させないため、従来例の摺動体の下面下方に接点部及び接点用突設部の変位を確保するスペースが不要となり、前記メモリーカード用コネクタの薄型化を図ることができる。
【００３９】
更に、請求項２記載の発明は、上記凹部は複数個形成され、１個の凹部内に上記中間コンタクト群の１個の接点用突設部が遊嵌されるように構成されているので、請求項１記載の発明の効果に加え、前記接点用突設部が互いに接触することを防止することができる。
【００４０】
更に又、請求項３記載の発明は、上記凹部は複数個形成され、１個の凹部内に上記中間コンタクト群の複数個の接点用突設部が遊嵌されるように構成されているので、請求項１記載の発明の効果に加え、前記凹部の個数を低減可能となり前記摺動体の成型用金型の形状が簡素となり、金型製作コストを低減できる等、正に著大なる効果を奏する発明である。
【図面の簡単な説明】
【図１】本発明の一実施の形態を示し、上ケースを取り除いたメモリーカード用コネクタの斜視図。
【図２】（ａ）中間コンタクトがシャッターの凹部内に遊嵌される前の状態を説明する斜視図。
（ｂ）中間コンタクトがシャッターの凹部内に遊嵌される前の状態を説明する側面断面図。
（ｃ）中間コンタクトがシャッターの凹部内に遊嵌された状態を説明する斜視図。
（ｄ）中間コンタクトがシャッターの凹部内に遊嵌された状態を説明する側面断面図。
【図３】図１のメモリーカード用コネクタに短いメモリーカードを挿入する状態を示す斜視図。
【図４】図１のメモリーカード用コネクタに短いメモリーカードを挿入する状態を示す平面図。
【図５】図１のメモリーカード用コネクタに短いメモリーカードを挿入した状態を示す平面図。
【図６】従来例を示し、上ケースを取り除いたメモリーカード用コネクタの斜視図。
【図７】（ａ）従来例を示し、中間コンタクトがシャッターの下面に収納される前の状態を説明する斜視図。
（ｂ）従来例を示し、中間コンタクトがシャッターの下面に収納される前の状態を説明する側面断面図。
（ｃ）従来例を示し、中間コンタクトがシャッターの下面に収納された状態を説明する斜視図。
（ｄ）従来例を示し、中間コンタクトがシャッターの下面に収納された状態を説明する側面断面図。
【図８】（ａ）〜（ｈ）従来例を示し、スライダーのプッシュイン・プッシュアウト機構の動作説明図。
【図９】図６のメモリーカード用コネクタに短いメモリーカードを挿入する状態を示す平面図。
【図１０】図６のメモリーカード用コネクタに短いメモリーカードを挿入した状態を示す平面図。
【図１１】図６のメモリーカード用コネクタに長いメモリーカードを挿入する状態を示す平面図。
【図１２】図６のメモリーカード用コネクタに長いメモリーカードを挿入した状態を示す平面図。
【符号の説明】
２　　　　　下ケース
３　　　　　先端コンタクト
４　　　　　中間コンタクト
４ａ　　　　接点用突設部
５　　　　　スライダー
１１　　　　　挿入口
２４，２５　　メモリーカード
２６　　　　　メモリーカード用コネクタ
２９　　　　　凹部
２９ａ　　　　斜欠面
【図１】
2004095234.tif 000003
【図２】
2004095234.tif 000004
【図３】
2004095234.tif 000005
【図４】
2004095234.tif 000006
【図５】
2004095234.tif 000007
【図６】
2004095234.tif 000008
【図７】
2004095234.tif 000009
【図８】
2004095234.tif 000010
【図９】
2004095234.tif 000011
【図１０】
2004095234.tif 000012
【図１１】
2004095234.tif 000013
【図１２】
2004095234.tif 000014